(57)【要約】  被検者の生体情報を測定する生体情報測定装置と、生体情報を管理する制御装置とを備える生体情報処理システムであって、生体情報測定装置は、生体情報と、当該生体情報が測定された日時を示す測定日時情報と、測定日時が時計合わせ前の仮日時であるか否かを示すフラグ情報とを関連付けて、測定データとして記憶する記憶部と、測定データと生体情報測定装置が有する測定側時計情報とを制御装置へ送信するデータ送信部とを備え、制御装置は、生体情報測定装置から受信した測定データが含むフラグ情報を解析する解析部と、解析部により測定日時が仮日時であると解析された場合、測定側時計情報と制御装置が有する制御側時計情報との時間差に基づいて測定日時情報を補正するデータ補正部と、データ補正部により補正された補正測定日時情報と生体情報とを関連付けて補正測定データとして記録する記録部とを備える。
2014049633.tif 000002
【特許請求の範囲】
【請求項１】
被検者の生体情報を測定する生体情報測定装置と、前記生体情報を管理する制御装置とを備える生体情報処理システムであって、
前記生体情報測定装置は、
前記生体情報と、前記生体情報が測定された日時を示す測定日時情報と、前記測定日時が時計合わせ前の仮日時であるか否かを示すフラグ情報とを関連付けて、測定データとして記憶する記憶手段と、
前記測定データと、前記生体情報測定装置が有する測定側時計情報とを前記制御装置へ送信するデータ送信手段とを備え、
前記制御装置は、
前記生体情報測定装置から受信した前記測定データが含む前記フラグ情報を解析する解析手段と、
前記解析手段により前記測定日時が仮日時であると解析された場合、前記測定側時計情報と前記制御装置が有する制御側時計情報との時間差に基づいて、前記測定日時情報を補正するデータ補正手段と、
前記データ補正手段により補正された補正測定日時情報と前記生体情報とを関連付けて補正測定データとして記録する記録手段と、
を備えることを特徴とする生体情報処理システム。
【請求項２】
前記制御装置は、
前記制御側時計情報を前記生体情報測定装置へ送信する時計情報送信手段をさらに備えることを特徴とする請求項１に記載の生体情報処理システム。
【請求項３】
前記時計情報送信手段は、前記解析手段により前記測定日時が仮日時であると解析された場合に、前記制御側時計情報を前記生体情報測定装置へ送信することを特徴とする請求項２に記載の生体情報処理システム。
【請求項４】
前記生体情報測定装置は、
前記データ送信手段により前記測定データと前記測定側時計情報とが前記制御装置へ送信された場合、前記記憶手段に記憶されている前記測定データを消去するデータ消去手段をさらに備えることを特徴とする請求項１乃至３の何れか１項に記載の生体情報処理システム。
【請求項５】
前記生体情報測定装置は、
前記測定日時が仮日時である場合、前記制御装置から受信した前記制御側時計情報と、前記測定側時計情報との時間差に基づいて、前記測定日時情報を補正する第２のデータ補正手段をさらに備え、
前記記憶手段は、前記第２のデータ補正手段により補正された補正測定日時情報と前記生体情報とを関連付けて補正測定データとして記憶し直すことを特徴とする請求項１乃至３の何れか１項に記載の生体情報処理システム。
【請求項６】
前記生体情報測定装置は、
当該生体情報測定装置の電源交換を検出する検出手段と、
前記検出手段により前記電源交換が検出された場合、前記電源交換の後に測定された前記生体情報について測定日時が仮日時であることを示すフラグ情報を設定するフラグ設定手段と、
をさらに備えることを特徴とする請求項１乃至５の何れか１項に記載の生体情報処理システム。
【請求項７】
前記生体情報測定装置は、
前記制御装置から受信した前記制御側時計情報に基づいて、前記測定側時計を補正する時計補正手段をさらに備え、
前記フラグ設定手段は、前記時計補正手段により前記測定側時計が補正された場合、前記測定側時計の補正後に測定された前記生体情報の前記測定日時情報が仮日時ではないことを示すフラグ情報を設定することを特徴とする請求項６に記載の生体情報処理システム。
【請求項８】
被検者の生体情報を測定する生体情報測定装置であって、
前記生体情報と、前記生体情報が測定された日時を示す測定日時情報と、前記測定日時が仮日時であるか否かを示すフラグ情報とを関連付けて、測定データとして記憶する記憶手段と、
前記測定データと、前記生体情報測定装置が有する測定側時計情報とを制御装置へ送信するデータ送信手段と、
を備えることを特徴とする生体情報測定装置。
【請求項９】
生体情報測定装置により測定された被検者の生体情報を管理する制御装置であって、
前記生体情報と、前記生体情報が測定された日時を示す測定日時情報と、前記測定日時情が仮日時であるか否かを示すフラグ情報とが関連付けられた測定データと、前記生体情報測定装置が有する測定側時計情報とを、前記生体情報測定装置から受信する受信手段と、
前記測定データが含む前記フラグ情報を解析する解析手段と、
前記解析手段により前記測定日時が仮日時であると解析された場合、前記測定側時計情報と前記制御装置が有する制御側時計情報との時間差に基づいて、前記測定日時情報を補正するデータ補正手段と、
前記データ補正手段により補正された補正測定日時情報と前記生体情報とを関連付けて補正測定データとして記録する記録手段と、
を備えることを特徴とする制御装置。
【請求項１０】
被検者の生体情報を測定する生体情報測定装置と、前記生体情報を管理する制御装置とを備える生体情報処理システムの制御方法であって、
前記生体情報測定装置の記憶手段が、前記生体情報と、前記生体情報が測定された日時を示す測定日時情報と、前記測定日時が時計合わせ前の仮日時であるか否かを示すフラグ情報とを関連付けて、測定データとして記憶する記憶工程と、
前記生体情報測定装置のデータ送信手段が、前記測定データと、前記生体情報測定装置が有する測定側時計情報とを前記制御装置へ送信するデータ送信工程と、
前記制御装置の解析手段が、前記生体情報測定装置から受信した前記測定データが含む前記フラグ情報を解析する解析工程と、
前記生体情報測定装置のデータ補正手段が、前記解析工程により前記測定日時が仮日時であると解析された場合、前記測定側時計情報と前記制御装置が有する制御側時計情報との時間差に基づいて、前記測定日時情報を補正するデータ補正工程と、
前記生体情報測定装置の記録手段が、前記データ補正工程により補正された補正測定日時情報と前記生体情報とを関連付けて補正測定データとして記録する記録工程と、
を備えることを特徴とする生体情報処理システムの制御方法。
【請求項１１】
記憶手段と、データ送信手段と備えており、被検者の生体情報を測定する生体情報測定装置の制御方法であって、
前記記憶手段が、前記生体情報と、前記生体情報が測定された日時を示す測定日時情報と、前記測定日時が時計合わせ前の仮日時であるか否かを示すフラグ情報とを関連付けて、測定データとして記憶する記憶工程と、
前記データ送信手段が、前記測定データと、前記生体情報測定装置が有する測定側時計情報とを制御装置へ送信するデータ送信工程と、
を備えることを特徴とする生体情報測定装置の制御方法。
【請求項１２】
受信手段と、解析手段と、データ補正手段と、記録手段とを備えており、生体情報測定装置により測定された被検者の生体情報を管理する制御装置の制御方法であって、
前記受信手段が、前記生体情報と、前記生体情報が測定された日時を示す測定日時情報と、前記測定日時が時計合わせ前の仮日時であるか否かを示すフラグ情報とが関連付けられた測定データと、前記生体情報測定装置が有する測定側時計情報とを、前記生体情報測定装置から受信する受信工程と、
前記解析手段が、前記測定データが含む前記フラグ情報を解析する解析工程と、
前記データ補正手段が、前記解析工程により前記測定日時が仮日時であると解析された場合、前記測定側時計情報と前記制御装置が有する制御側時計情報との時間差に基づいて、前記測定日時情報を補正するデータ補正工程と、
前記記録手段が、前記データ補正工程により補正された補正測定日時情報と前記生体情報とを関連付けて補正測定データとして記録する記録工程と、
を備えることを特徴とする制御装置の制御方法。
【請求項１３】
請求項１１に記載の生体情報測定装置の制御方法の各工程をコンピュータに実行させるためのプログラムが格納された記憶媒体。
【請求項１４】
請求項１２に記載の制御装置の制御方法の各工程をコンピュータに実行させるためのプログラムが格納された記憶媒体。
【発明の詳細な説明】
【技術分野】
【０００１】
本発明は、生体情報処理システム、生体情報測定装置、制御装置、それらの制御方法、および記憶媒体に関し、特に、生体情報測定装置により測定された生体情報を制御装置が取得して記憶する生体情報処理技術に関する。
【背景技術】
【０００２】
近年医療の現場では、パルスオキシメータ、体温計、血糖計、活動量計等の生体情報測定装置を用いて被検者の生体情報を測定し、その測定結果をパーソナル・コンピュータ等の制御装置が取得し、被検者の生体情報を管理することが行われている。ここでパルスオキシメータとは、動脈血酸素飽和度（ＳｐＯ２）を測定する装置である（特許文献１参照）。【０００３】
これらの生体情報測定装置は、測定された生体情報と、測定日時とを関連付けて記憶しており、制御装置は、生体情報と併せて測定日時情報も取得し、被検者の生体情報を時系列的に管理する。
【先行技術文献】
【特許文献】
【０００４】
【特許文献１】特開平５−３２００３８号公報
【発明の概要】
【発明が解決しようとする課題】
【０００５】
しかしながら、生体情報測定装置が保持する自身の時計情報は、生体情報測定装置が時計情報を設定する手段がない場合や、時計情報を維持する機能を持たない場合では、測定者が生体情報測定装置の電池交換等を行って再度電源をＯＮにした場合などには、仮の日時情報が設定されるため、正しい時計情報との間で差異が生じてしまうことがある。【０００６】
よって、測定者が生体情報測定装置を用いて被検者の生体情報を測定した場合、測定された生体情報と、測定日時とが正しく関連付けて記憶されているとは限らないことになる。したがって、制御装置は、実際の測定日時とは異なる誤った測定日時と関連付けられた生体情報を取得してしまうことになり、被検者の生体情報を適切に管理することが困難であるという課題がある。【０００７】
上記の課題に鑑み、本発明は、被検者の生体情報を適切に管理することを可能にする技術を提供することを目的とする。
【課題を解決するための手段】
【０００８】
上記の目的を達成する本発明に係る生体情報処理システムは、
被検者の生体情報を測定する生体情報測定装置と、前記生体情報を管理する制御装置とを備える生体情報処理システムであって、
前記生体情報測定装置は、
前記生体情報と、前記生体情報が測定された日時を示す測定日時情報と、前記測定日時が時計合わせ前の仮日時であるか否かを示すフラグ情報とを関連付けて、測定データとして記憶する記憶手段と、
前記測定データと、前記生体情報測定装置が有する測定側時計情報とを前記制御装置へ送信するデータ送信手段とを備え、
前記制御装置は、
前記生体情報測定装置から受信した前記測定データが含む前記フラグ情報を解析する解析手段と、
前記解析手段により前記測定日時が仮日時であると解析された場合、前記測定側時計情報と前記制御装置が有する制御側時計情報との時間差に基づいて、前記測定日時情報を補正するデータ補正手段と、
前記データ補正手段により補正された補正測定日時情報と前記生体情報とを関連付けて補正測定データとして記録する記録手段と、
を備えることを特徴とする。
【発明の効果】
【０００９】
本発明によれば、被検者の生体情報を適切に管理することが可能になる。【００１０】
本発明のその他の特徴及び利点は、添付図面を参照とした以下の説明により明らかになるであろう。なお、添付図面においては、同じ若しくは同様の構成には、同じ参照番号を付している。
【図面の簡単な説明】
【００１１】
添付図面は明細書に含まれ、その一部を構成し、本発明の実施の形態を示し、その記述と共に本発明の原理を説明するために用いられる。
【図１】第１実施形態に係る生体情報処理システム１００の外観構成を示す図である。
【図２】第１実施形態に係る制御装置１１０のハードウェア構成を示す図である。
【図３】第１実施形態に係る制御装置１１０の機能ブロック図である。
【図４】第１実施形態に係るパルスオキシメータ１３１の外観構成および使用態様を示す図である。
【図５】第１実施形態に係る制御装置１１０のハードウェア構成を示す図である。
【図６】第１実施形態に係るパルスオキシメータ１３１の機能ブロック図である。
【図７Ａ】第１実施形態に係る生体情報処理システム１００が実施する処理の手順を示すシーケンス図である。
【図７Ｂ】第１実施形態に係る生体情報処理システム１００が実施する処理の手順を示すシーケンス図である。
【図８】第１実施形態に係る測定データの構成例を示す図である。
【図９Ａ】第２実施形態に係る生体情報処理システム１００が実施する処理の手順を示すシーケンス図である。
【図９Ｂ】第２実施形態に係る生体情報処理システム１００が実施する処理の手順を示すシーケンス図である。
【図１０Ａ】第３実施形態に係る生体情報処理システム１００が実施する処理の手順を示すシーケンス図である。
【図１０Ｂ】第３実施形態に係る生体情報処理システム１００が実施する処理の手順を示すシーケンス図である。
【図１１Ａ】第４実施形態に係る生体情報処理システム１００が実施する処理の手順を示すシーケンス図である。
【図１１Ｂ】第４実施形態に係る生体情報処理システム１００が実施する処理の手順を示すシーケンス図である。
【発明を実施するための形態】
【００１２】
以下、本発明の実施形態について図面を参照しながら説明する。なお、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１３】
［第１実施形態］
＜１．生体情報処理システムの外観構成＞
図１は、第１実施形態に係る生体情報処理システム１００の外観構成を示す図である。図１において、生体情報処理システム１００は、制御装置１１０と、近接通信部１２０と、生体情報測定装置１３０とを備えている。ここで生体情報測定装置１３０は、パルスオキシメータ１３１、体温計１３２、血糖計１３３、活動量計１３４など、被検者の生体情報を測定することができる任意の装置のうちの何れかである。
【００１４】
制御装置１１０は、生体情報測定装置１３０の時計情報（測定側時計情報）や、生体情報測定装置１３０により測定された測定データを取得して解析する。そして、解析の結果、必要な場合には生体情報測定装置１３０の時計情報と、制御装置１１０自身の時計情報（制御側時計情報）との時間差に基づいて、測定データ（のうち生体情報測定装置１３０の時計情報に従って記憶された測定日時）を補正する。そして補正した測定データを記録する。
【００１５】
近接通信部１２０は、近距離無線通信（ＮＦＣ；Near Field Communication）を行う。ＮＦＣは、１３．５６ＭＨｚの周波数を利用する通信距離１０ｃｍ程度の近距離無線通信技術である。
【００１６】
生体情報測定装置１３０は、被検者の生体情報を測定し、測定した生体情報と、生体情報測定装置１３０の時計情報における測定日時とを関連付けて記憶する。パルスオキシメータ１３１の場合は被検者の動脈血酸素飽和度（ＳｐＯ２）を測定し、体温計１３２の場合は被検者の体温を測定し、血糖計１３３の場合は被検者の血糖値を測定し、活動量計１３４の場合は被検者の活動量を測定する。
【００１７】
ユーザが生体情報測定装置１３０を近接通信部１２０へ近接させる、あるいは近接通信部１２０上に載置することによって、制御装置１１０と生体情報測定装置１３０との間でデータ通信が可能となり、各種情報をやり取りすることができる。
【００１８】
なお、近接通信部１２０は制御装置１１０に含まれてもよく、制御装置１１０と生体情報測定装置１３０との間のデータ通信は近距離無線通信に限定されず、他の無線接続または有線接続により行ってもよい。
【００１９】
＜２．制御装置のハードウェア構成および機能ブロック構成＞
次に、生体情報処理システム１００を構成する制御装置１１０の構成について説明する。図２は、制御装置１１０のハードウェア構成を示す図である。制御装置１１０は、例えばパーソナル・コンピュータであり、制御メモリ（ＲＯＭ）２０１と、中央演算処理装置（ＣＰＵ）２０２と、メモリ（ＲＡＭ）２０３と、外部記憶装置２０４と、入力装置２０５と、表示装置２０６と、近接通信部Ｉ／Ｆ部２０７とを備えている。各構成要素はバス２０８により接続されている。
【００２０】
中央演算処理装置（ＣＰＵ）２０２は、外部記憶装置２０４（記憶媒体）に格納されているプログラムをバス２０８を通じて読み出してメモリ（ＲＡＭ）２０３へ取り込み、取り込んだプログラムを実行することによって、あるいは制御メモリ（ＲＯＭ）２０１（記憶媒体）に記憶されたプログラムを読み出して実行することによって、制御装置１１０の動作を制御する。
【００２１】
外部記憶装置２０４は、生体情報測定装置１３０から受信した測定データや、生体情報測定装置１３０の時計情報を記憶する。入力装置２０５は、例えばキーボードであり、制御装置１１０のユーザからの操作を受け付ける。表示装置２０６は、例えば液晶ディスプレイであり、各種情報を表示する。近接通信部Ｉ／Ｆ部２０７は、近接通信部１２０と接続されるインタフェースである。
【００２２】
一方、図３は、制御装置１１０の機能ブロック図である。制御装置１１０は、制御部３０１と、測定データ解析部３０２と、測定データ補正部３０３と、データ記録部３０４と、時計情報送信部３０５と、データ消去部３０６とを備えている。
【００２３】
制御部３０１は、接続された各構成要素の動作を制御する。測定データ解析部３０２は、生体情報測定装置１３０から近接無線通信によって受信した測定データを解析する。測定データには、生体情報測定装置１３０により測定された被検者の生体情報、当該生体情報に関する生体情報測定装置１３０の時計情報に基づく測定日時情報、当該測定日時が時計合わせ前の仮日時であるか否かを示すフラグ情報が含まれている。測定日時が仮日時である場合とは、例えば、生体情報測定装置１３０の電池交換が行われたことに起因して、生体情報測定装置１３０の時計情報が１２：００などの仮の日時にリセットされてしまい、その後正しい時計情報へ修正されていないような場合である。すなわち、より具体的には、測定データ解析部３０２は測定データに含まれるフラグ情報を解析する。
【００２４】
測定データ補正部３０３は、測定データ解析部３０２により測定日時が仮日時であると解析された場合に、生体情報測定装置１３０から近接無線通信によって受信した生体情報測定装置１３０の時計情報と、制御装置１１０の時計情報との時間差に基づいて、測定データに含まれる測定日時情報を正しい測定日時に補正する。データ記録部３０４は、測定データ補正部３０３により補正された補正測定日時情報と、測定データに含まれる生体情報とを関連付けて補正測定データとして記録する。
【００２５】
これにより、生体情報測定装置１３０の時計情報がリセットされて正しい時計情報とずれていても、制御装置１１０が測定データに含まれる測定日時情報を補正するため、生体情報測定装置１３０の測定結果を適切に管理することが可能となる。
【００２６】
また、時計情報送信部３０５は、制御装置１１０の時計情報を生体情報測定装置１３０へ近接無線通信によって送信する。生体情報測定装置１３０は、制御装置１１０から受信した制御装置１１０の時計情報に基づいて、生体情報測定装置１３０の時計情報を修正することができる。そしてデータ消去部３０６は、不要な測定データを消去する。
【００２７】
＜３．生体情報測定装置の外観構成および使用態様＞
以下では、生体情報処理システム１００を構成する生体情報測定装置１３０の一例として、図１に示したパルスオキシメータ１３１について説明する。図４は、パルスオキシメータ１３１の外観構成および使用態様を示す図である。
【００２８】
パルスオキシメータとは、プローブを指先等に付けて、動脈血酸素飽和度（ＳｐＯ２）や脈拍数を測定する医療機器である。動脈血酸素飽和度（ＳｐＯ２）は、動脈血中のヘモグロビン（Ｈｂ）に酸素（Ｏ２）がどの程度結合しているかを示し、例えば安静時の酸素飽和度は９３％以上で心肺機能が正常と判断することができる。プローブは発光部と受光部とを有しており、発光部は赤色光と赤外光を発し、指先等を透過または反射した光を受光部で検出する。血液中のヘモグロビンは酸素との結合の有無により赤色光と赤外光の吸光度の差異を解析することで、動脈血酸素飽和度（ＳｐＯ２）を測定することができる。また、検出したパルスにおいて拍動のある脈波成分より脈拍数を算出することができる。
【００２９】
図４に示されるように、パルスオキシメータ１３１は、表示部４００を有している。表示部４００には、測定された動脈血酸素飽和度（ＳｐＯ２）４０１、脈拍数４０２、測定結果から判定される被検者の健康状態を示す表示形態４０３、電池残量４０４が表示されている。被検者の手４２０の、例えば人差し指を挿入部４１０へ挿入した状態で、不図示の測定開始スイッチを押下することにより、動脈血酸素飽和度（ＳｐＯ２）の測定を行う。被検者の手４２０の挿入を検出し、測定を開始するものもある。
【００３０】
パルスオキシメータ１３１は、測定した動脈血酸素飽和度（ＳｐＯ２）と、当該動脈血酸素飽和度（ＳｐＯ２）に関するパルスオキシメータ１３１の時計情報に基づく測定日時情報と、当該測定日時が仮日時であるか否かを示すフラグ情報とを関連付けて記憶する。
【００３１】
＜４．生体情報測定装置のハードウェア構成および機能ブロック構成＞
次に、生体情報測定装置１３０の一例として、パルスオキシメータ１３１の構成について説明する。図５は、制御装置１１０のハードウェア構成を示す図である。なお、既に説明した構成要素については同じ参照符号を付している。
【００３２】
パルスオキシメータ１３１は、表示部４００と、中央演算処理装置（ＣＰＵ）５００と、音声出力部５０１と、メモリ部５０２と、タイマ部５０３と、加速度センサ５０４と、操作部５０５と、近接通信部５０６と、電源部５０７とを備えている。
【００３３】
中央演算処理装置（ＣＰＵ）５００は、メモリ部５０２に格納されているプログラムを読み出して実行することによって、パルスオキシメータ１３１の動作を制御する。音声出力部５０１は、操作部５０５を介して入力された指示を受け付けたことを示すビープ音を出力したり、所定の条件が成立した場合に、アラームを出力したりする。メモリ部５０２は、測定された動脈血酸素飽和度（ＳｐＯ２）および脈拍数に関するデータ等を格納する。
【００３４】
タイマ部５０３は、パルスオキシメータ１３１が保持する時計情報を出力する。加速度センサ５０４は、加速度を測定する。なお、加速度センサとしては、圧電抵抗型、静電容量型、熱検知型等、種々の方式が挙げられるが、いずれの方式であってもよい。加速度センサ５０４の測定結果に応じて、表示部４００の表示方向を決定する。パルスオキシメータ１３１の傾きに応じて、表示部４００に表示された文字・数字等をユーザが視認しやすい方向に表示する。
【００３５】
操作部５０５は、例えば、測定開始スイッチや電源スイッチ、操作ボタン等によりユーザ操作を受け付ける。近接通信部５０６は、近接通信部１２０の間でデータ送信を行う。電源部５０７は、パルスオキシメータ１３１の各部に電力を供給する。
【００３６】
一方、図６は、パルスオキシメータ１３１の機能ブロック図である。パルスオキシメータ１３１は、制御部６００と、生体情報測定部６０１と、データ記憶部６０２と、データ送信部６０３と、検出部６０４と、データ消去部６０５と、測定データ補正部６０６（第２のデータ補正部）と、時計補正部６０７と、フラグ設定部６０８とを備えている。
【００３７】
制御部６００は、接続された各構成要素の動作を制御する。生体情報測定部６０１は、被検者の生体情報、すなわち動脈血酸素飽和度（ＳｐＯ２）を測定する。データ記憶部６０２は、測定された生体情報（動脈血酸素飽和度（ＳｐＯ２））と、当該生体情報が測定された日時を示す測定日時情報と、当該測定日時が仮日時であるか否かを示すフラグ情報とを関連付けて、測定データとして記憶する。
【００３８】
データ送信部６０３は、測定データと、パルスオキシメータ１３１の時計情報とを制御装置１１０へ近接無線通信により送信する。検出部６０４は、パルスオキシメータ１３１の時計情報がリセットされる電源交換イベントを検出する。
【００３９】
データ消去部６０５は、データ送信部６０３により測定データと、パルスオキシメータ１３１の時計情報とを制御装置１１０へ送信した後、データ記憶部６０２の当該測定データを消去する。
【００４０】
測定データ補正部６０６は、近接無線通信により制御装置１１０から受信した制御装置１１０の時計情報と、パルスオキシメータ１３１の時計情報との時間差に基づいて、測定データに含まれるパルスオキシメータ１３１の時計情報に基づく測定日時情報を補正する。その後、補正された測定データをデータ記憶部６０２に記憶する。
【００４１】
時計補正部６０７は、近接無線通信により制御装置１１０から受信した制御装置１１０の時計情報に基づいて、パルスオキシメータ１３１の時計情報を修正する。
【００４２】
フラグ設定部６０８は、検出部６０４により電源交換イベントが検出された場合、電源交換後に測定される生体情報（動脈血酸素飽和度（ＳｐＯ２））に関して測定日時が仮日時であることを示すフラグ情報を設定する。また、パルスオキシメータ１３１の時計情報が正しい時刻に修正された場合には、修正後に測定される生体情報（動脈血酸素飽和度（ＳｐＯ２））に関して測定日時が仮日時ではないことを示すフラグ情報を設定する。なお、パルスオキシメータ１３１の時計情報が正しい時刻に修正されたことは、例えば、制御装置１１０から近接無線通信により制御装置１１０の時計情報を受信し、当該時計情報に従って時計補正部６０７がパルスオキシメータ１３１の時計情報を修正したことにより判定できる。
【００４３】
＜５．生体情報処理システムにおける全体処理の流れ＞
次に、図７Ａおよび図７Ｂを参照して、第１実施形態に係る生体情報処理システム１００が実施する処理の手順を説明する。以下では、生体情報測定装置１３０の一例としてのパルスオキシメータ１３１と、制御装置１１０との間で処理が実施されるものとして説明する。
【００４４】
ステップＳ７０１において、パルスオキシメータ１３１の検出部６０４は、パルスオキシメータ１３１の時計情報がリセットされる電源交換イベントを検出する。
【００４５】
ステップＳ７０２において、パルスオキシメータ１３１の生体情報測定部６０１は、被検者の生体情報、すなわち動脈血酸素飽和度（ＳｐＯ２）を測定を開始する。
【００４６】
ステップＳ７０３において、パルスオキシメータ１３１の生体情報測定部６０１は、測定を終了する。なお本実施形態では、パルスオキシメータ１３１のフラグ設定部６０８は、パルスオキシメータ１３１の時計情報がリセットされているので、測定された生体情報に関して測定日時が仮の日時であることを示すフラグ情報を設定する。
【００４７】
ステップＳ７０３において、パルスオキシメータ１３１のデータ記憶部６０２は、測定された生体情報（動脈血酸素飽和度（ＳｐＯ２））と、当該生体情報が測定された日時を示す測定日時情報と、当該測定日時が仮日時であるか否かを示すフラグ情報とを関連付けて、測定データとして記憶する。
【００４８】
その後、ユーザがパルスオキシメータ１３１を近接通信部１２０へ近接させることにより、あるいは近接通信部１２０上に載置することにより、パルスオキシメータ１３１と制御装置１１０との間でデータ通信が可能になる。
【００４９】
ステップＳ７０５において、制御装置１１０の時計情報送信部３０５は、制御装置１１０の時計情報をパルスオキシメータ１３１へ近接無線通信によって送信する。
【００５０】
ステップＳ７０６において、パルスオキシメータ１３１のデータ送信部６０３は、測定データと、パルスオキシメータ１３１の時計情報とを制御装置１１０へ近接無線通信により送信する。なお、ステップＳ７０５、Ｓ７０６の処理の順序は逆であってもよい。
【００５１】
ステップＳ７０７において、制御装置１１０の測定データ解析部３０２は、受信した測定データに含まれるフラグ情報を解析し、測定日時が仮日時であるか否かを判定する。測定日時が仮日時であると判定された場合（Ｓ７０７；ＹＥＳ）、ステップＳ７０８へ進む。一方、測定日時が仮日時ではないと判定された場合（Ｓ７０７；ＮＯ）、ステップＳ７０９へ進む。
【００５２】
なお、本実施形態では、ステップＳ７０１において電池交換が検出され、パルスオキシメータ１３１の時計情報がリセットされているので、ステップＳ７０８へ進むことになる。一方、ステップＳ７０１において電池交換が検出されていない場合、あるいは、制御装置１１０から正しい時計情報を受信してパルスオキシメータ１３１の時計情報が修正されている場合には、パルスオキシメータ１３１の時計情報は正しいと判定できるため、ステップＳ７０４において測定日時が仮日時ではないことを示すフラグ情報と関連付けられて測定データが記憶されている。そのような場合には、ステップＳ７０９へ進むことになる。
【００５３】
ステップＳ７０８において、制御装置１１０の測定データ補正部３０３は、パルスオキシメータ１３１から近接無線通信によって受信したパルスオキシメータ１３１の時計情報と、制御装置１１０の時計情報との時間差に基づいて、測定データに含まれる測定日時情報を正しい測定日時に補正する。
【００５４】
ステップＳ７０９において、制御装置１１０のデータ記録部３０４は、測定データ補正部３０３により補正された補正測定日時情報と、測定データに含まれる生体情報とを関連付けて補正測定データとして記録する。一方、データ記録部３０４は、ステップＳ７０７で測定日時が仮日時ではないと判定された場合には、ステップＳ７０６で受信した測定データに含まれる生体情報と、その測定日時情報とを記録する。
【００５５】
また、ステップＳ７１０において、パルスオキシメータ１３１のデータ消去部６０５は、ステップＳ７０６でデータ送信部６０３が測定データを制御装置１１０へ近接無線通信により送信した後、当該測定データを消去する。
【００５６】
ステップＳ７１１において、パルスオキシメータ１３１の時計補正部６０７は、ステップＳ７０６で近接無線通信により制御装置１１０から受信した制御装置１１０の時計情報に基づいて、パルスオキシメータ１３１の時計情報を修正する。なお、ステップＳ７１０、Ｓ７１１の処理の順序は逆であってもよい。以上で図７Ａおよび図７Ｂの処理が終了する。
【００５７】
ここで、図８は測定データの構成例を示す図である。測定データ８０１は、例えば図７Ａおよび図７ＢのステップＳ７０１の電源交換前に測定されたデータである。一方、測定データ８１１は電源交換後に測定されたデータである。
【００５８】
測定データ８０１は、生体情報測定装置１３０により測定された生体情報８０２と、生体情報測定装置１３０の時計情報に基づく測定日時情報８０３と、測定日時が仮日時ではないことを示すフラグ情報８０４とを含む。一方、測定データ８１１は、生体情報測定装置１３０により測定された生体情報８１２と、生体情報測定装置１３０の時計情報に基づく測定日時情報８１３と、測定日時が仮日時であることを示すフラグ情報８１４とを含む。
【００５９】
図７ＡのステップＳ７０６で測定データが送信される際に、ステップＳ７０１の電源交換前に正しい日時で測定された測定データ８０１と、電源交換後に仮の日時で測定された測定データ８１１とが存在する場合、両方が制御装置１１０へ送信されることになる。その場合であっても、制御装置１１０はフラグ情報を解析することで、測定データ８０１についてはそのまま記録し、測定データ８１１については測定日時を補正した上で記録することができる。
【００６０】
以上説明したように、本実施形態では、生体情報測定装置は、測定した被検者の生体情報と、当該生体情報に関する生体情報測定装置の時計情報に基づく測定日時情報と、当該測定日時が仮日時であるか否かを示すフラグ情報とを関連付けて測定データとして記憶する。そして、制御装置は、生体情報測定装置から受信した測定データに含まれるフラグ情報の解析結果に応じて、生体情報測定装置から受信した生体情報測定装置の時計情報に基づいて当該測定データの測定日時を正しい日時へ補正した上で記録する。
【００６１】
したがって、本実施形態によれば、生体情報測定装置の時計情報がリセットされて正しい時計情報とずれていても、制御装置が測定データに含まれる測定日時情報を補正するため、生体情報測定装置の測定結果を適切に管理することが可能となる。
【００６２】
また、生体情報測定装置は測定データを制御装置へ送信した後に測定データを消去するので、生体情報測定装置のメモリを有効活用できる。そして、生体情報測定装置は制御装置から受信した正しい時計情報に基づいて自身の時計情報を修正するので、以降の測定の結果得られた測定データは日時の補正が不要な適切なデータとなる。
【００６３】
［第２実施形態］
図９Ａおよび図９Ｂを参照して、第２実施形態に係る生体情報処理システム１００が実施する処理の手順を説明する。以下では、第１実施形態と同様に、生体情報測定装置１３０の一例としてのパルスオキシメータ１３１と、制御装置１１０との間で処理が実施されるものとして説明する。第１実施形態と同一の構成要素については同一の参照符号を付している。また、第１実施形態で図７Ａおよび図７Ｂを参照して説明した処理と同様の処理については説明を省略する。
【００６４】
ステップＳ９０１−Ｓ９０５の各処理は、それぞれ図７ＡのステップＳ７０１−Ｓ７０４、およびＳ７０６の各処理と同様である。
【００６５】
ステップＳ９０６の処理はステップＳ７０７の処理と同様である。
【００６６】
ステップＳ９０７において、制御装置１１０の時計情報送信部３０５は、ステップＳ９０６で測定日時が仮日時であると判定された場合に、制御装置１１０の時計情報をパルスオキシメータ１３１へ近接無線通信によって送信する。
【００６７】
以降のステップＳ９０８−Ｓ９１１の各処理は、それぞれ図７ＢのステップＳ７０８−Ｓ７１１の各処理の各処理と同様である。
【００６８】
なお、ステップＳ９０５で生体情報測定装置１３０が複数の測定データを制御装置１１０へ送信する場合には、制御装置１１０は測定データの少なくとも１にかりフラグが立っている場合に、自身の時計情報を生体情報測定装置１３０へ送信すればよい。
【００６９】
以上説明したように、本実施形態では、制御装置は、測定日時が仮日時である場合にのみ、生体情報測定装置の時計情報を修正するために自身の時計情報を送信する。そのため、生体情報測定装置の時計情報が正しい場合には時計情報の送信処理が不要になるので、データ通信に要する時間を短縮することができる。
【００７０】
［第３実施形態］
図１０Ａおよび図１０Ｂを参照して、第３実施形態に係る生体情報処理システム１００が実施する処理の手順を説明する。以下では、第２実施形態と同様に、生体情報測定装置１３０の一例としてのパルスオキシメータ１３１と、制御装置１１０との間で処理が実施されるものとして説明する。第１実施形態と同一の構成要素については同一の参照符号を付している。また、第２実施形態で図９Ａおよび図９Ｂを参照して説明した処理と同様の処理については説明を省略する。
【００７１】
ステップＳ１００１−Ｓ１００９の各処理は、それぞれ図９Ａおよび図９ＢのステップＳ９０１−Ｓ９０９の各処理と同様である。
【００７２】
ステップＳ１０１０において、パルスオキシメータ１３１の測定データ補正部６０６は、ステップＳ１００７で制御装置１１０から近接無線通信によって受信した制御装置１１０の時計情報と、パルスオキシメータ１３１の時計情報との時間差に基づいて、測定データに含まれる測定日時情報を正しい測定日時に補正する。
【００７３】
ステップＳ１０１１において、パルスオキシメータ１３１のデータ記憶部６０２は、測定データ補正部６０６により補正された補正測定日時情報と、測定データに含まれる生体情報とを関連付けて補正測定データとして記憶する。
【００７４】
ステップＳ１０１２の処理は、ステップＳ９１１の処理と同様である。
【００７５】
以上説明したように、本実施形態では、制御装置は、測定日時が仮日時である場合にのみ、生体情報測定装置の時計情報を修正するために、自身の時計情報を送信する。そのため、生体情報測定装置の時計情報が正しい場合には時計情報の送信処理が不要になるので、データ通信に要する時間を短縮することができる。また、生体情報測定装置側でも測定データの測定日時情報を正しい日時に補正して記憶するため、時系列的に正しい測定履歴データを生体情報測定装置において確認することが可能になる。
【００７６】
［第４実施形態］
図１１Ａおよび図１１Ｂを参照して、第４実施形態に係る生体情報処理システム１００が実施する処理の手順を説明する。以下では、第２実施形態と同様に、生体情報測定装置１３０の一例としてのパルスオキシメータ１３１と、制御装置１１０との間で処理が実施されるものとして説明する。第１実施形態と同一の構成要素については同一の参照符号を付している。また、第２実施形態で図９Ａおよび図９Ｂを参照して説明した処理と同様の処理については説明を省略する。
【００７７】
ステップＳ１１０１−Ｓ１１０７の各処理は、それぞれ図９ＡのステップＳ９０１−Ｓ９０７の各処理と同様である。ただし、ステップＳ１１０５においては、パルスオキシメータ１３１のデータ送信部６０３は、測定データを制御装置１１０へ近接無線通信により送信する。パルスオキシメータ１３１の時計情報は必ずしも送信する必要はない。
【００７８】
ステップＳ１１０８において、制御装置１１０のデータ消去部３０６は、ステップＳ１１０６で測定日時が仮日時であると解析されたので、受信した測定データを記録することなく消去する。
【００７９】
ステップＳ１１０９において、パルスオキシメータ１３１の測定データ補正部６０６は、ステップＳ１１０７で制御装置１１０から近接無線通信によって受信した制御装置１１０の時計情報と、パルスオキシメータ１３１の時計情報との時間差に基づいて、測定データに含まれる測定日時情報を正しい測定日時に補正する。
【００８０】
ステップＳ１１１０において、パルスオキシメータ１３１のデータ記憶部６０２は、測定データ補正部６０６により補正された補正測定日時情報と、測定データに含まれる生体情報と、測定日時が仮日時であるか否かを示すフラグ情報とを関連付けて補正測定データとして記憶する。ここでは測定日時が仮日時ではないことを示すフラグ情報が関連付けられることになる。
【００８１】
ステップＳ１１１１において、パルスオキシメータ１３１のデータ送信部６０３は、補正された測定データを制御装置１１０へ近接無線通信により送信する。
【００８２】
ステップＳ１１１２において、パルスオキシメータ１３１の時計補正部６０７は、ステップＳ１１０７で近接無線通信により制御装置１１０から受信した制御装置１１０の時計情報に基づいて、パルスオキシメータ１３１の時計情報を修正する。なお、ステップＳ１１１２の処理は、ステップＳ１１０７での制御装置１１０の時計情報の受信後の任意のタイミングで行ってもよい。
【００８３】
ステップＳ１１１３において、制御装置１１０のデータ記録部３０４は、（測定日時≠仮日時なので）新たに受信した測定データを記録する。
【００８４】
また、ステップＳ１１１４において、制御装置１１０のデータ記録部３０４は、（測定日時≠仮日時なので）ステップＳ１１０５で受信した測定データを消去することなく記録する。
【００８５】
以上説明したように、本実施形態では、制御装置は、測定日時が仮日時である場合にのみ、生体情報測定装置の時計情報を修正するために自身の時計情報を送信する。そのため、生体情報測定装置の時計情報が正しい場合には時計情報の送信処理が不要になるので、データ通信に要する時間を短縮することができる。
【００８６】
また、本実施形態では、生体情報測定装置が制御装置から当該制御装置の時計情報を受信して、生体情報測定装置が測定日時を補正し、その補正された測定データを制御装置へ送信する。そのため、制御装置側での測定データの補正処理が不要になり、制御装置のリソースを有効活用することができる。
【００８７】
本発明は上記実施の形態に制限されるものではなく、本発明の精神及び範囲から離脱することなく、様々な変更及び変形が可能である。従って、本発明の範囲を公にするために、以下の請求項を添付する。
【図１】
2014049633.tif 000003
【図２】
2014049633.tif 000004
【図３】
2014049633.tif 000005
【図４】
2014049633.tif 000006
【図５】
2014049633.tif 000007
【図６】
2014049633.tif 000008
【図７Ａ】
2014049633.tif 000009
【図７Ｂ】
2014049633.tif 000010
【図８】
2014049633.tif 000011
【図９Ａ】
2014049633.tif 000012
【図９Ｂ】
2014049633.tif 000013
【図１０Ａ】
2014049633.tif 000014
【図１０Ｂ】
2014049633.tif 000015
【図１１Ａ】
2014049633.tif 000016
【図１１Ｂ】
2014049633.tif 000017
【手続補正書】
【提出日】平成27年12月14日(2015.12.14)
【手続補正１】
【補正対象書類名】明細書
【補正対象項目名】０００４
【補正方法】変更
【補正の内容】
【０００４】
【特許文献１】特開平７−１７１１３９号公報
【国際調査報告】
2014049633.tif 000018
2014049633.tif 000019